(57)【特許請求の範囲】
【請求項１】
荷箱の前部および後部の左右にそれぞれ基端部が回動自在に設けられた開閉アームと、前後に対向する左方一対の開閉アームおよび右方一対の開閉アームの各先端部に、内方側端縁部の前端部および後端部がそれぞれ回転自在に軸支された左右の天蓋とから構成され、開閉アームの回動により、左右の天蓋が荷箱の上方開口部を覆う閉鎖位置と荷箱の左右の側壁に沿って垂下する開放位置との間を移動し得る荷箱の天蓋開閉装置において、前記各開閉アームの先端部にルーフストッパが設けられ、天蓋が側壁に沿って垂下する開放位置に移動した際、ルーフストッパが天蓋の外面に沿って垂下され、天蓋の外方への回動を防止することを特徴とする荷箱の天蓋開閉装置。
【請求項２】
請求項１に記載の荷箱の天蓋開閉装置において、前記荷箱の左右側壁に前後方向に間隔をおいて複数個の緩衝部材が設けられることを特徴とする荷箱の天蓋開閉装置。
【発明の詳細な説明】
【技術分野】
【０００１】
本発明は、荷箱の天蓋開閉装置に関するものである。
【背景技術】
【０００２】
従来より、車輌に搭載された荷箱の天蓋開閉装置としては、特許文献１に開示されたものが知られている。特許文献１に開示された荷箱の天蓋開閉装置は、左右の天蓋を荷箱上に並置することで荷箱の上方開口部を覆う閉鎖位置と、左右の天蓋を荷箱の左右側壁の外面に沿って垂下する開放位置との間で左右の天蓋を移動させるものである。
【０００３】
具体的には、荷箱の前後には、モータによって駆動されて天蓋を開閉させる左右の開閉アームが回動自在に設けられている。これにより、左右の天蓋が閉鎖位置にあるとき、開閉アームを回動させると、左右の天蓋は、それぞれ荷箱の左右側壁上に回転自在に設けられたローラに支持されて車幅方向外方へ摺動しつつ前後方向から見てハの字状に起立傾動し、最終的に荷箱の左右側壁の外面に沿って垂れ下がる。一方、天蓋が開放位置にあるとき、開閉アームを逆方向に回動させると、天蓋は、前述した作動とは逆に移動して荷箱の上方開口部を閉鎖する。
【特許文献１】特開２００３−１７５７２７
【発明の開示】
【発明が解決しようとする課題】
【０００４】
ところで、前述した荷箱の天蓋開閉装置では、各天蓋の内方側端縁部の前端部および後端部がそれぞれ開閉アームの先端部に回転自在に軸支されていることから、天蓋が開放位置にあるとき、突風などによって天蓋が煽られた場合、天蓋は、開閉アームとの軸支部を中心として外方に回動して跳ね上がることが予想される。この結果、天蓋の回動範囲内に配置された物体に衝突し、互いに損傷するおそれがある。また、天蓋が跳ね上げられた後、自重で垂下する開放位置に回動復帰する際、荷箱の側壁に衝突して天蓋を損傷させたり、衝撃音を発生させるものとなる。
【０００５】
本発明は、このような問題に鑑みてなされたものであって、天蓋が開放位置にあるとき、天蓋が開閉アームとの軸支部回りに外方に向けて回動することを確実に防止できる荷箱の天蓋開閉装置を提供するものである。
【課題を解決するための手段】
【０００６】
本発明の荷箱の天蓋開閉装置は、荷箱の前部および後部の左右にそれぞれ基端部が回動自在に設けられた開閉アームと、前後に対向する左方一対の開閉アームおよび右方一対の開閉アームの各先端部に、内方側端縁部の前端部および後端部がそれぞれ回転自在に軸支された左右の天蓋とから構成され、開閉アームの回動により、左右の天蓋が荷箱の上方開口部を覆う閉鎖位置と荷箱の左右の側壁に沿って垂下する開放位置との間を移動し得る荷箱の天蓋開閉装置において、前記各開閉アームの先端部にルーフストッパが設けられ、天蓋が側壁に沿って垂下する開放位置に移動した際、ルーフストッパが天蓋の外面に沿って垂下され、天蓋の外方への回動を防止することを特徴とするものである。
【０００７】
本発明によれば、左右の天蓋が荷箱の上方開口部を覆う閉鎖位置にあるとき、開閉アームを回動させると、開閉アームの先端部に内方側端縁部の前後各端部がそれぞれ回転自在に軸支されている左右の天蓋は、車幅方向外方に移動し、最終的に荷箱の側壁外面に沿って垂下する開放位置に移動する。このとき、開閉アームの先端部に固設されたルーフストッパは、開閉アームが略１８０度回動することに伴って左右の側壁に沿って垂下する天蓋の外面側内方側端縁部の前端縁部および後端縁部に近接して垂下する。
【０００８】
したがって、天蓋が開放位置にあるときに、突風などによって天蓋が開閉アームの先端部に対する軸支部回りに上方に向けて跳ね上がるように回動しようとしても、天蓋は、ルーフストッパによって回動が阻止されることから、開放位置において、上方に向けて回動することが確実に防止される。
【０００９】
この結果、天蓋が意図することなく上方に向けて回動し、回動範囲内に配置された物体に衝突して損傷することが確実に防止される。
【００１０】
本発明において、前記荷箱の左右側壁に前後方向に間隔をおいて複数個の緩衝部材が設けられることが好ましい。これにより、天蓋が側壁に沿って垂下する開放位置に移動した際、天蓋の内面を緩衝部材に当接させることが可能となる。したがって、天蓋が緩衝部材によって内方へ回動することを防止することができ、ルーフストッパと協同して天蓋を垂下する開放位置に確実に保持することができる。
【発明の効果】
【００１１】
本発明によれば、天蓋が開放位置にあるとき、天蓋が開閉アームとの軸支部回りに外方に向けて回動することを確実に防止できる。
【発明を実施するための最良の形態】
【００１２】
以下、本発明の荷箱の天蓋開閉装置の一実施形態について図面を参照して説明する。
【００１３】
図１には、荷箱１が車枠２にヒンジ３を介して回動自在に連結されたダンプ車輌Ｖが示されており、車枠２上に搭載された走行位置（図１の実線状態参照）と、図示しない傾倒装置によって後方に傾動した傾動位置（図１の鎖線状態参照）とに傾倒可能である。そして、荷箱１には、本発明の天蓋開閉装置４が架装されている。
【００１４】
ここで、前後左右は、車輌の進行方向に向かって前方、後方、左方、右方と設定し、また、内外は、車幅方向に沿って内方、外方と設定するものとする。
【００１５】
天蓋開閉装置４は、図２乃至図４に示すように、荷箱１の上方開口部１ａを開閉し得る左右一対の天蓋５Ｌ，５Ｒと、荷箱１の前後において、左右の天蓋５Ｌ，５Ｒとの間にそれぞれ架設された左右の開閉アーム６と、前後に対向する左方および右方の開閉アーム６をそれぞれ回動させる駆動手段７と、天蓋５Ｌ，５Ｒの下面を支持する支持手段８と、閉鎖位置にある天蓋５Ｌ，５Ｒにおける外方側端部の前端縁部および後端縁部を押圧し、支持手段８と協同して天蓋を上下から挟持して上下移動を規制するロック手段９とから主要部が構成されている。
【００１６】
左右の天蓋５Ｌ，５Ｒは、略同一矩形状に形成されており、荷箱１の上方開口部１ａを覆う閉鎖位置にあるとき、内方に向かってなだらかな上り勾配を有し、且つ、内方側端縁部同士が略当接するように配置される。
【００１７】
なお、天蓋５Ｌ，５Ｒの内方側端縁部には、両天蓋５Ｌ，５Ｒが閉鎖位置にあるとき、両天蓋５Ｌ，５Ｒ間の隙間から雨水などが浸入することを防止するため、パッキン（図示せず）が設けられている。
【００１８】
荷箱１の上方開口部１ａのうち、左右の天蓋５Ｌ，５Ｒの後端縁から後壁１ｒにかけての開口部が平坦な上壁１１によって閉鎖され、また、内方に向けて上り勾配に傾斜する左右の天蓋５Ｌ，５Ｒの前後端縁に形成される略三角形状の開口が前記上壁１１の前端縁に沿うとともに、荷箱１の左右の側壁１ｓ，１ｓ間にわたって配設された前後方向から見て山型状の支持壁１２によって閉鎖されている。
【００１９】
開閉アーム６は、基端部が荷箱１の支持壁１２に固定されたブラケット１３から前後方向に延びる支軸１４回りに回動自在に連結される一方、その先端部が天蓋５Ｌ，５Ｒの内方側端縁部の前後各端部に回転自在に連結されている。すなわち、前後に対向する左方一対の開閉アーム６，６の先端部に左方の天蓋５Ｌの内方側端縁部からそれぞれ前後方向に延びる軸部５１が回転自在に軸支され、また、前後に対向する右方一対の開閉アーム６，６の先端部に右方の天蓋５Ｒの内方側端縁部からそれぞれ前後方向に延びる軸部５１が回転自在に軸支されている。
【００２０】
駆動手段７は、荷箱１の前方の支持壁１２の左右に取付ブラケット１５を介して設置された減速機付き電動モータ７１と、減速機付き電動モータ７１の出力軸に連結されてそれぞれ荷箱１の左右の側壁１ｓ，１ｓに沿って前後方向に延設された回転自在な伝動軸７２と、各伝動軸７２の前端部および後端部にそれぞれ固設された駆動スプロケット７３と、前述した開閉アーム６の回転軸に固設された従動スプロケット７４と、これらの駆動スプロケット７３および従動スプロケット７４間に巻回された無端チェーン７５とから構成されている。そして、伝動軸７２は、各側壁１ｓに前後方向に間隔をおいて設けられた複数個の支持ブラケット１６の軸受および荷箱１の前端部と後部（すなわち、前後の支持壁１２近傍に）に設けられた支持ブラケット１６１（図６、図７参照）の軸受にそれぞれ回転自在に支持されている。また、前部左右および後部左右の駆動スプロケット７３、従動スプロケット７４および無端チェーン７５は、それぞれカバー７６によって覆われている。
【００２１】
この実施形態においては、電動モータを利用して開閉アーム６を回動させる場合を例示したが、電動モータ以外に、油空圧モータや油空圧シリンダなどの他のアクチュエータを用いることもできる。
【００２２】
支持手段８は、図５に詳細に示すように、車幅方向へ移動する天蓋５Ｌ，５Ｒの下面を支持するものであり（図５では左天蓋５Ｌのみを例示している。）、荷箱１の左右の側壁１ｓ，１ｓの上端部にそれぞれ複数個ずつ前後方向に適宜の間隔をおいて回転自在に設けられたローラ８１で構成され、各ローラ８１は、荷箱１の左右の側壁１ｓ，１ｓ（図５では左側壁１ｓ側のみを例示している）の上部に設けられた前述した支持ブラケット１６，１６１を利用して回転自在に軸支されている。
【００２３】
ロック手段９は、図６および図７に示すように、天蓋５Ｌ，５Ｒ（図６、図７では左天蓋５Ｌのみを例示している。）が荷箱１の上方開口部を覆う閉鎖位置（図６参照）にあるとき、天蓋５Ｌ，５Ｒの下面を支持する支持手段８のローラ８１と協同して、天蓋５Ｌ，５Ｒにおける外方側端縁部の前端縁部および後端縁部（図６、図７において、後端縁部は図示せず。）を上下から挟持し、走行振動、走行風などによって天蓋５Ｌ，５Ｒの外方側端縁部が上下に揺動することを防止する。
【００２４】
上記ロック手段９は、伝動軸７２回りに回動自在に連結された揺動アーム９１と、この揺動アーム９１の先端部に回転自在に軸支された挟持ローラ９２と、天蓋５Ｌ，５Ｒの閉鎖位置への移動に伴って揺動アーム９１に車幅方向外方側から当接して当該揺動アーム９１を車幅方向内方側へと回動させるように、天蓋５Ｌ，５Ｒにおける外方側端縁部の前後端縁部に固設されてその長手方向を前後方向に向けて前方および後方にそれぞれ延設された当接ロッド９３とを備えている。
【００２５】
上記ロック手段９は、天蓋５Ｌ，５Ｒが閉鎖位置から開放位置（図７参照）に移動を開始するとき、すなわち、図６において、天蓋５Ｌが左側方向に移動するとき、車幅方向外方に向かって下方に傾斜する天蓋５Ｌ，５Ｒが接触状態にある揺動アーム９１の挾持ローラ９２を押し出すことにより、その先端側が車幅方向外方側へ（図６において反時計回り方向へ）回動される。すると、揺動アーム９１に対する当接ロッド９３の天蓋挾持方向への付勢力が解除され、挟持ローラ９２とローラ８１とによる天蓋５Ｌ，５Ｒの挾持が解除される。なお、天蓋５Ｌ，５Ｒの開放位置では、揺動アーム９１は水平方向に延伸状に配置され、挾持ローラ９２が天蓋５Ｌ，５Ｒよりも車幅方向外方に位置するように構成されている。
【００２６】
反対に、天蓋５Ｌ，５Ｒが開放位置から閉鎖位置に移動するとき、すなわち、図７において、天蓋５Ｌが右側方向に移動するとき、天蓋５Ｌ，５Ｒに固設された当接ロッド９３が天蓋５Ｌ，５Ｒとともに車幅方向内方側へ移動するため、当接ロッド９３は、揺動アーム９１を車幅方向外方側から車幅方向内方側へ向かって（図７において時計回り方向に）押し上げて回動させる。そして、挟持ローラ９２がローラ８１と協同して天蓋５Ｌ，５Ｒの外方側端縁部の前端縁部および後端縁部を上下から挟持してその上下移動を規制する。
【００２７】
さらに、天蓋５Ｌ，５Ｒが開放位置にあるとき、開閉アーム６の先端に対して回転自在に軸支されている天蓋５Ｌ，５Ｒが突風などによって煽られて外方に向かって回動しないようにルーフストッパ６１が設けられている。具体的には、ルーフストッパ６１は、略台形状に形成された板材であって、図３に示すように、各開閉アーム６の先端部にそれぞれ一体に固設されている。そして、天蓋５Ｌ，５Ｒが荷箱１の上方開口部１ａを覆う閉鎖位置から移動し、最終的に図７に示すように、側壁１ｓに沿って垂下する開放位置に移動した際、ルーフストッパ６１は、開閉アーム６に対して回転自在に軸支された天蓋５Ｌ，５Ｒの外面側内方側端縁部の前端縁部および後端縁部に近接する位置に垂下される。
【００２８】
この場合、前述したロック手段９の揺動アーム９１との干渉を避けて天蓋５Ｌ，５Ｒの前端縁部および後端縁部に近接するように、ルーフストッパ６１は、揺動アーム９１と干渉する部分が切り欠かれている。
【００２９】
一方、側壁１ｓには、前後方向に間隔をおいて複数個の緩衝部材１７が設けられており、天蓋５Ｌ，５Ｒが開放位置に垂下した際に天蓋５Ｌ，５Ｒの下面と当接してそれ以上内方に向けて回動しないように開放角度を規制している（図７および図８参照）。
【００３０】
さらに、側壁１ｓには、左右の天蓋５Ｌ，５Ｒの下面に接触して密封するシール材１８が配設されている。
【００３１】
次に、天蓋開閉装置４による左右一対の天蓋５Ｌ，５Ｒの開閉作動について図８を参照して説明する。
【００３２】
左右の天蓋５Ｌ，５Ｒは、閉鎖位置にあるとき、それらの内方側端縁部を突き合わせるとともに、車幅方向外方に向かってなだらかな下り勾配の傾斜面を有して荷箱１の開口部１ａを覆って並置されている。このような荷箱１の上方開口部を覆う閉鎖位置において、左右一対の天蓋５Ｌ，５Ｒを開放すべく、減速機付き電動モータ７１が正回転駆動されると、その駆動力は、伝動軸７２、駆動スプロケット７３、無端チェーン７５、従動スプロケット７４の順に伝動されて、開閉アーム６の回転軸を正方向へ回転駆動する。開閉アーム６が支軸１４回りに車幅方向外方に向かって回動すると、開閉アーム６の先端部に回転自在に連結された天蓋５Ｌ，５Ｒは、ローラ８１にその下面を支持されて車幅方向外方へ移動するとともに、車幅方向外方に向かって下り勾配を強める方向に傾動することから、図６において、ロック手段９の挾持ローラ９２を外方に向けて押し出して、揺動アーム９１を反時計回り方向に回動させる。これにより、揺動アーム９１に対する当接ロッド９３の天蓋挾持方向のへの付勢力が解除されて、挟持ローラ９２とローラ８１とによる天蓋５Ｌ、５Ｒの挟持が解除されることから、左右の天蓋５Ｌ，５Ｒは、ローラ８１に支持されながら車幅方向外方への移動が許容され、最終的に荷箱１の側壁１ｓの外面に沿って垂下する開放位置に移動する。
【００３３】
この際、開閉アーム６の先端部に設けられたルーフストッパ６１は、略１８０度回動し、荷箱１の側壁１ｓの外面に沿って垂下された天蓋５Ｌ，５Ｒの外面に近接して垂下される。また、荷箱１の側壁１ｓの外面に沿って垂下された天蓋５Ｌ，５Ｒは、その内面が側壁１ｓに設けられた緩衝部材１７の先端に当接し、緩衝状態で支持されている。
【００３４】
したがって、突風などが発生した際、天蓋５Ｌ，５Ｒは煽られて開閉アーム６の先端部に対する軸支部回りに外方に向かって回動しようとするが、開閉アーム６の先端部に固設されているルーフストッパ６１に天蓋５Ｌ，５Ｒの外面が面接触し、それ以上の回動が阻止される。また、天蓋５Ｌ，５Ｒよりも車幅方向外方に位置する挾持ローラ９２によっても、天蓋５Ｌ，５Ｒが軸支部回りに外方に向かって回動するのが抑制される。さらに、垂下した天蓋５Ｌ，５Ｒの内面は、側壁１ｓに設けられた緩衝部材１７に緩衝状態で支持されており、内方に向かって回動することも阻止されている。
【００３５】
一方、左右の天蓋５Ｌ，５Ｒが開放位置から閉鎖位置へ移動されるときには、前述とは逆に作動する。すなわち、減速機付き電動モータ７１が逆回転駆動され、その駆動力が伝動軸７２、駆動スプロケット７３、無端チェーン７５、従動スプロケット７４を介して開閉アーム６の回転軸を逆方向へ回転駆動させる。これにより、開閉アーム６が支軸１４回りに車幅方向内方に向かって回動し、開閉アーム６の先端部に回転自在に連結された天蓋５Ｌ、５Ｒを垂下する開放位置から引き上げる。したがって、左右の天蓋５Ｌ，５Ｒは、その下面がローラ８１に支持されて、内方に向かって徐々に上り勾配を弱めながら車幅方向内方へ移動し、ついには、荷箱１の上方開口部を覆う閉鎖位置に移動する。
【００３６】
この際、天蓋５Ｌ，５Ｒに設けられた当接ロッド９３が揺動アーム９１を押し上げて車幅方向外方側から車幅方向内方側へ向かって回動させる。
【００３７】
天蓋５Ｌ，５Ｒが閉鎖位置に配置されると、図８の実線で示したように、ロック手段９により天蓋５Ｌ，５Ｒの外方側端縁部の前端縁部および後端縁部が支持手段８と協同して挟持されることから、当該部分の上下移動が規制される。
【００３８】
なお、前述した実施形態においては、ダンプ車輌の荷箱に天蓋開閉装置を架装した場合を説明したが、ダンプ車輌の荷箱に限らず、コンテナ脱着車輌のコンテナに天蓋開閉装置を架装するようにしてもよい。この場合、コンテナ荷役車輌から荷卸しされたコンテナには、動力源がないことから、作業者自らが駆動スプロケットを回転操作して天蓋を開閉移動させればよい。
【図面の簡単な説明】
【００３９】
【図１】本発明の荷箱の天蓋開閉装置の一実施形態を架装したダンプ車輌を一部を省略して示す側面図である。
【図２】図１の荷箱の天蓋開閉装置を示す平面図である。
【図３】図１の荷箱の天蓋開閉装置を一部省略して示す側面図である。
【図４】図１の荷箱の天蓋開閉装置を一部省略して示す背面図である。
【図５】図２のＡ−Ａ線断面図である。
【図６】図２のＢ−Ｂ線断面図である。
【図７】天蓋が開放位置に垂下した状態を図５に対応して示す断面図である。
【図８】天蓋の開閉作動を説明する工程図である。
【符号の説明】
【００４０】
１  荷箱
１７  緩衝部材
４  天蓋開閉装置
５Ｌ，５Ｒ  天蓋
６  開閉アーム
６１  ルーフストッパ
７  駆動手段
７２  伝動軸
８  支持手段
８１  ローラ
９  ロック手段
９１  揺動アーム
９２  挾持ローラ
【図１】
0005004778.tif 000002
【図２】
0005004778.tif 000003
【図３】
0005004778.tif 000004
【図４】
0005004778.tif 000005
【図５】
0005004778.tif 000006
【図６】
0005004778.tif 000007
【図７】
0005004778.tif 000008
【図８】
0005004778.tif 000009